(57)【要約】【課題】  フォークの間隔を調整する際に用いるシリンダ式のフォークシフト装置に於て、コストの低減を図ると共に、フォーク作業時には前方視界が妨げられずにフォーク作業が容易に行える様にする。【解決手段】  キャリッジ２、フォーク３、シフトシリンダ４、搖動体５、掛合手段６とで構成し、とりわけ、何れか一方のフォーク３に搖動可能に設けられて当該フォーク３の背後に隠れる格納位置と他方のフォーク３側に延びる使用位置とをとり得る搖動体５と、搖動体５と他方のフォーク３との間に設けられて搖動体５が使用位置の時には掛合される掛合手段６とを備えている。【選択図】        図１
2010159138.tif 000002
【特許請求の範囲】
【請求項１】
昇降可能なキャリッジと、キャリッジに横動可能に設けられた左右のフォークと、一方のフォークを横動すベく設けられた単一のシフトシリンダと、何れか一方のフォークに搖動可能に設けられて当該フォークの背後に隠れる格納位置と他方のフォーク側に延びる使用位置とをとり得る搖動体と、搖動体と他方のフォークとの間に設けられて搖動体が使用位置の時には掛合される掛合手段と、から構成した事を特徴とするフォークシフト装置。
【請求項２】
掛合手段は、搖動体と他方のフォークのうちの何れか一方に設けられた凸部と、何れか他方に設けられて凸部に掛合される凹部とを備えている請求項１に記載のフォークシフト装置。
【請求項３】
掛合手段の凸部と凹部のうち少なくとも何れか一方は、フォークの横動方向に間隔を置いて複数設けられている請求項２に記載のフォークシフト装置。
【発明の詳細な説明】
【技術分野】
【０００１】
本発明は、例えばフォークリフト等の荷役車両に装備されて荷物の大きさに呼応してフォークの間隔を調整する際に用いられるシリンダ式のフォークシフト装置の改良に関する。
【背景技術】
【０００２】
従来、この種のシリンダ式のフォークシフト装置としては、例えば次の様なものが知られている。
（１）  シフトシリンダを左右のフォーク毎に設けたもの（特許文献１参照）。
（２）  単一のシフトシリンダとチェーン・スプロケット機構とを用いたもの（特許文献２参照）。
（３）  単一のシフトシリンダと左右のフォークの上部同士を連結する連結手段とを用いたもの（特許文献３参照）。
【先行技術文献】
【特許文献】
【０００３】
【特許文献１】特許第３０９１８５２号公報
【特許文献２】実開昭５９−１２３０９４号公報
【特許文献３】実開昭６２−１８１５９７号公報
【発明の概要】
【発明が解決しようとする課題】
【０００４】
然しながら、前記（１）のものは、シフトシリンダを二つ設けねばならなかったので、油圧配管及び油圧機器等を含めてコストが高く付く難点があった。
【０００５】
前記（２）及び（３）のものは、シフトシリンダが一つであるので、コストの低減を図る事ができるものの、チェーン・スプロケット機構や連結手段が常に前方視界を妨げる要因になっていた。
【０００６】
要するに、従来の何れのものも、コストの低減を図ると共に、フォーク作業時には前方視界が妨げられずにフォーク作業が容易に行えるものではなかった。
【０００７】
本発明は、叙上の問題点に鑑み、これを解消する為に創案されたもので、その課題とする処は、コストの低減を図ると共に、フォーク作業時には前方視界が妨げられずにフォーク作業が容易に行える様にしたフォークシフト装置を提供するにある。
【課題を解決するための手段】
【０００８】
本発明のフォークシフト装置は、基本的には、昇降可能なキャリッジと、キャリッジに横動可能に設けられた左右のフォークと、一方のフォークを横動すベく設けられた単一のシフトシリンダと、何れか一方のフォークに搖動可能に設けられて当該フォークの背後に隠れる格納位置と他方のフォーク側に延びる使用位置とをとり得る搖動体と、搖動体と他方のフォークとの間に設けられて搖動体が使用位置の時には掛合される掛合手段と、から構成した事に特徴が存する。
【０００９】
フォーク作業時を含む通常時は、搖動体が格納位置にされて一方のフォークの背後に隠れている。
【００１０】
フォークの間隔を調整する時は、搖動体が使用位置に搖動されて掛合手段が掛合される。もし、左右のフォークの間隔に依り掛合手段が掛合できない場合には、シフトシリンダが作動されて一方のフォークがキャリッジに沿って横動されて他方のフォークに対して遠近される。掛合手段が掛合されると、シフトシリンダが作動されて左右のフォークが一緒にキャリッジに沿って一方向へ横動される。その後、掛合手段の掛合が解除されて搖動体が格納位置に搖動されると共に、シフトシリンダが作動されて一方のフォークのみがキャリッジに沿って他方向へ横動される。そうすると、左右のフォークの間隔が拡狭されて調整される。
【００１１】
フォーク作業時を含む通常時は、搖動体が格納位置にされて一方のフォークの背後に隠れているので、搖動体が前方視界の妨げにならない。とりわけ、フォーク作業時には、搖動体が前方視界が妨げにならない事に依りフォーク作業が容易に行える。
【００１２】
搖動体が使用位置にされて掛合手段が掛合された状態でシフトシリンダが作動されると、左右のフォークが所定間隔を保ったままキャリッジに沿って一方向にサイドシフトされる。従って、フォークシフトだけでなく、サイドシフトも行なう事ができる。
【００１３】
掛合手段は、搖動体と他方のフォークのうちの何れか一方に設けられた凸部と、何れか他方に設けられて凸部に掛合される凹部とを備えているのが好ましい。この様にすれば、構造が極めて簡単なものにする事ができる。
【００１４】
掛合手段の凸部と凹部のうち少なくとも何れか一方は、フォークの横動方向に間隔を置いて複数設けられているのが好ましい。この様にすれば、左右のフォークの間隔を多段階に保つ事ができる。
【発明の効果】
【００１５】
本発明に依れば、次の様な優れた効果を奏する事ができる。
【００１６】
（１）  キャリッジ、フォーク、シフトシリンダ、搖動体、掛合手段とで構成し、とりわけ、何れか一方のフォークに搖動可能に設けられて当該フォークの背後に隠れる格納位置と他方のフォーク側に延びる使用位置とをとり得る搖動体と、搖動体と他方のフォークとの間に設けられて搖動体が使用位置の時には掛合される掛合手段とを備えているので、コストの低減を図ると共に、フォーク作業時には前方視界が妨げられずにフォーク作業が容易に行える。
【００１７】
（２）  何れか一方のフォークに搖動可能に設けられて当該フォークの背後に隠れる格納位置と他方のフォーク側に延びる使用位置とをとり得る搖動体と、搖動体と他方のフォークとの間に設けられて搖動体が使用位置の時には掛合される掛合手段とを備えているので、掛合手段を掛合状態に保ったままシフトシリンダを作動させれば、キャリッジに対して左右のフォークを一緒に一方向へサイドシフトする事ができる。
【図面の簡単な説明】
【００１８】
【図１】本発明のフォークシフト装置に係り、搖動体を格納位置にした状態を示す概要背面図。
【図２】搖動体を使用位置にした状態を示す図１と同様図。
【発明を実施するための形態】
【００１９】
以下、本発明の実施の形態を、図面に基づいて説明する。
【００２０】
図１は、本発明のフォークシフト装置に係り、搖動体を格納位置にした状態を示す概要背面図。図２は、搖動体を使用位置にした状態を示す図１と同様図である。
【００２１】
フォークシフト装置１は、キャリッジ２、フォーク３、シフトシリンダ４、搖動体５、掛合手段６とからその主要部が構成されて居り、フォークリフト等の荷役車両に適用される。
【００２２】
キャリッジ２は、昇降可能なもので、この例では、左右のリフトブラケット７と、これらの前側に設けられた上下のフィンガバー８と、これらの端部どうしを連結すべく設けられた左右のサイドプレート９等を備えている。
【００２３】
両リフトブラケット７は、図略しているが、荷役車両の昇降装置（マスト装置）に依り昇降される様になっている。
【００２４】
上部フィンガバー８の上側と下部フィンガバー８の下側には、夫々突条１０が形成されている。
【００２５】
フォーク３は、キャリッジ２に横動可能に設けられた左右のもので、この例では、略Ｌ型を呈し、垂直片１１と、これの下端から前方に延びる水平片１２とを備えている。フォーク３の垂直片１１の背面には、上下のフィンガバー８の突条１０に掛合し得る略Ｌ型の上下の爪片１３が設けられて居り、これに依りフォーク３がキャリッジ２のフィンガバー８に沿って横動可能に懸架されている。
【００２６】
シフトシリンダ４は、一方のフォーク３を横動すベく設けられた単一のもので、この例では、キャリッジ２の右側のサイドプレート９と左側のフォーク３の各上部間に介設されている。つまり、シフトシリンダ４は、テール側がサイドプレート９に枢結されていると共に、ロッド側がフォーク３に枢結されている。
【００２７】
搖動体５は、何れか一方のフォーク３に搖動可能に設けられて当該フォーク３の背後に隠れる格納位置と他方のフォーク３側に延びる使用位置とをとり得るもので、この例では、棒状を呈し、キャリッジ２の上下のフィンガバー８間に位置する右側のフォーク３の背面に配されて居り、その下部が前後方向の支軸１４に依り枢結されて起立状態から俯伏状態まで搖動（俯仰）可能に設けられている。搖動体５は、図略しているが、格納位置（起立状態）を保つ為の保持手段を備えている。
【００２８】
掛合手段６は、搖動体５と他方のフォーク３との間に設けられて搖動体５が使用位置の時には掛合されるもので、この例では、左側のフォーク３に設けられた凸部１５と、搖動体５に設けられて凸部１５に掛合される凹部１６とを備えている。凸部１５は、フォーク３の背面に設けられた前後方向の単一のピンにされていると共に、凹部１６は、搖動体５の長手方向に所定の間隔を置いて下向きに付設された複数のピンに依って形成されている。
【００２９】
次に、この様な構成に基づいてその作用を述解する。
【００３０】
フォーク作業時を含む通常時は、図１に示す如く、搖動体５が格納位置（起立状態）にされて右側のフォーク３の背後に隠れている。
【００３１】
フォーク３の間隔を調整する時は、図２に示す如く、搖動体５が使用位置（俯伏状態）に搖動（俯動）されて掛合手段６の凹部１６の一つと凸部１５が掛合される。
【００３２】
もし、左右のフォーク３の間隔（距離）に依り掛合手段６が掛合できない場合には、シフトシリンダ４が作動されて左側のフォーク３がキャリッジ２に沿って横動されて右側のフォーク３に対して遠近されて調整される。
【００３３】
掛合手段６が掛合されると、シフトシリンダ４が作動されて左右のフォーク３が一緒にキャリッジ２に沿って一方向（右方向又は左方向）へ横動される。
【００３４】
その後、掛合手段６の掛合が解除されて搖動体５が格納位置に搖動（起立）されると共に、シフトシリンダ４が作動されて左側のフォーク３のみがキャリッジ２に沿って他方向（左方向又は右方向）へ横動される。そうすると、左右のフォーク３の間隔が拡狭されて調整される。
【００３５】
フォーク作業時を含む通常時は、搖動体５が格納位置にされて右側のフォーク３の背後に隠れているので、搖動体５が前方視界の妨げにならない。
【００３６】
搖動体５が使用位置にされて掛合手段６が掛合された状態でシフトシリンダ４が作動されると、左右のフォーク３が所定間隔を保ったままキャリッジ２に沿って一方向にサイドシフトされる。
【００３７】
実作業では、フォーク３を最大幅から最小幅まで何度も動かす事は稀であり、パレット等、定型サイズの扱物の場合には、そのポケットに入る程度のフォーク移動量（実用上１００〜２００ｍｍ程度）で充分であり、片側のフォーク３を移動するだけで対応できる。
【００３８】
尚、搖動体５は、先の例では、シフトシリンダ４に依り横動されるフォーク３とは異なる側のフォーク３に設けたが、これに限らず、例えばシフトシリンダ４に依り横動されるのフォーク３に設けても良い。
【００３９】
搖動体５は、先の例では、下部が枢結されていたが、これに限らず、例えば上部が枢結されていても良い。この場合、重力に依り常に垂下状態に保たれるので、同状態を保つ為の保持手段を割愛する事もできる。
【００４０】
搖動体５は、先の例では、棒状であったが、これに限らず、例えば板状等でも良い。
【００４１】
搖動体５は、先の例では、一定の長さのものであったが、これに限らず、例えば長手方向に伸縮できると共に、その長さを保持できるものにしても良い。この様にすれば、全長を小さくして格納できるので、格納スペースを小さくできる。
【００４２】
掛合手段６は、先の例では、凸部１５をフォーク３側に凹部１６を搖動体５側に設けたが、これに限らず、例えばこれらを逆にしても良い。
【００４３】
掛合手段６の凹部１６は、先の例では、隣接するピンに依り形成したが、これに限らず、例えば貫孔等にしても良い。
【符号の説明】
【００４４】
１…フォークシフト装置、２…キャリッジ、３…フォーク、４…シフトシリンダ、５…搖動体、６…掛合手段、７…リフトブラケット、８…フィンガバー、９…サイドプレート、１０…突条、１１…垂直片、１２…水平片、１３…爪片、１４…支軸、１５…凸部、１６…凹部。
【図１】
2010159138.tif 000003
【図２】
2010159138.tif 000004